(57)【要約】【課題】容器本体と蓋の分離を防止する容器の蓋固定部材を提供する。【解決手段】容器５０の容器本体５１に蓋５２を固定する蓋固定部材１において、嵌合させた容器本体５１と蓋５２のフランジ５３，５４に巻き付ける帯材から成り、フランジ５３，５４の角部の両側で折れ曲がる２本１組の罫線２を入れ、その罫線２間にフランジ５３，５４の角部を上下から挟み込むように突出させる開口部３を形成し、両端部にフランジ５３，５４への巻付状態を保持する係止片４及び係止穴５を設けた構成とする。フランジ５３，５４の角部が開口部３で上下から挟み込まれていることから、容器本体５１と蓋５２の嵌合状態が確実に維持される。【選択図】図３
2006069610.tif 000002
【特許請求の範囲】
【請求項１】
嵌合させた容器本体と蓋のフランジに巻き付ける帯材から成り、フランジの角部の両側で折れ曲がる２本１組の罫線を入れ、その罫線間にフランジの角部を上下から挟み込むように突出させる開口部を形成した容器の蓋固定部材。
【請求項２】
前記帯材の両端部に、フランジへの巻付状態を保持する係止ロックを設けたことを特徴とする請求項１に記載の容器の蓋固定部材。
【請求項３】
前記開口部の下縁に、容器本体のフランジの下側凹所に係合する係合突起を設けたことを特徴とする請求項１又は２に記載の容器の蓋固定部材。
【請求項４】
前記開口部の上縁に、蓋のフランジの上面に沿って折れ曲がり、外側へ突出する緩衝突片を設けたことを特徴とする請求項１乃至３のいずれかに記載の容器の蓋固定部材。
【発明の詳細な説明】
【技術分野】
【０００１】
この発明は、容器本体と蓋とを外周のフランジで嵌合させる容器に使用する蓋固定部材に関するものである。
【背景技術】
【０００２】
一般に、水分を含んだ内容物を収納する容器として、容器本体と蓋とを外周のフランジで嵌合させるものが使用されている。その嵌合状態は、フランジを弾性変形させつつ嵌合させ、フランジが復元して互いに係合することにより維持されるようになっている。
【発明の開示】
【発明が解決しようとする課題】
【０００３】
しかしながら、例えば、容器が古紙を溶解させて成形したパルプモールド製であった場合、材質の弾性が乏しいので、あまり強力に嵌合させることができず、容器本体が蓋から外れやすいという問題があった。
【０００４】
そこで、この発明は、容器本体と蓋の分離を防止する容器の蓋固定部材を提供しようとするものである。
【課題を解決するための手段】
【０００５】
上記課題を解決するため、この発明に係る蓋固定部材は、嵌合させた容器本体と蓋のフランジに巻き付ける帯材から構成し、フランジの角部の両側で折れ曲がる２本１組の罫線を入れ、その罫線間にフランジの角部を上下から挟み込むように突出させる開口部を形成したのである。
【０００６】
また、前記帯材の両端部に、フランジへの巻付状態を保持する係止ロックを設けたのである。
【０００７】
また、前記開口部の下縁に、容器本体のフランジの下側凹所に係合する係合突起を設けたのである。
【０００８】
さらに、前記開口部の上縁に、蓋のフランジの上面に沿って折れ曲がり、外側へ突出する緩衝突片を設けたのである。
【発明の効果】
【０００９】
上記のような蓋固定部材を使用すると、容器本体と蓋のフランジの角部が開口部で上下から挟み込まれていることから、容器本体と蓋の嵌合状態が確実に維持され、輸送中に蓋が容器本体から不意に外れて内容物が飛び出すようなことがない。
【００１０】
また、前記帯材の両端部に、フランジへの巻付状態を保持する係止ロックを設けると、罫線での折り曲げが反発で戻ろうとしても、蓋固定部材が容器に確実に固定され、外箱への収納等の梱包作業が容易になる。
【００１１】
また、開口部の下縁に係合突起を設けると、容器に対して蓋固定部材が位置決めされ、蓋固定部材の巻き付けが容易になり、蓋固定部材が容器に対してずれにくくなる。
【００１２】
また、開口部の上縁に緩衝突片を設けると、容器を外箱に収納したとき、フランジの角部と外箱との衝突が防止され、フランジの角部や内容物の損傷が防止される。
【発明を実施するための最良の形態】
【００１３】
以下、この発明の実施形態を添付図面に基づいて説明する。
【００１４】
図１に示すように、この蓋固定部材１は、段ボール製の帯材から成り、切花輸送用の保水容器５０に使用される。この容器５０は、古紙を溶解させて成形したパルプモールド製のものであり、水を溜める方形カップ状の容器本体５１と、切花の茎を挿す蓋５２とから構成され、これらを外周のフランジ５３，５４で嵌合させ、外箱の底部に収納する。
【００１５】
蓋固定部材１のブランクでは、図２に示すように、２本１組の縦方向の罫線２が４組入れられ、各組の罫線２間に開口部３が切込により形成されている。蓋固定材１の両端部には、係止片４と係止穴５とから成る係止ロックが設けられ、開口部３の下縁には係合突起６が、開口部３の上縁には、リード罫を介して緩衝突片７がそれぞれ設けられている。
【００１６】
上記のような蓋固定部材１を使用して、図３に示すように、容器５０の容器本体５１に蓋５２を固定するには、嵌合させた容器本体５１と蓋５２のフランジ５３，５４に、帯状の蓋固定部材１を巻き付ける。
【００１７】
このとき、フランジ５３，５４の両側で罫線２が折れ曲がるようにし、フランジ５３，５４の角部を開口部３から突出させる。そして、係止片４を係止穴５に押し込んで係合させ、蓋固定部材１の巻付状態を保持する。
【００１８】
この状態では、図３及び図４に示すように、フランジ５３，５４の角部が開口部３で上下から挟み込まれていることから、容器本体５１と蓋５２の嵌合状態が確実に維持され、輸送中に蓋５２が容器本体５１から不意に外れて内容物が飛び出すようなことがない。
【００１９】
また、係合突起６が容器本体５１のフランジ５３の下側凹所に係合し、容器５０に対して蓋固定部材１が位置決めされるので、蓋固定部材１の巻き付けが容易になり、蓋固定部材１が容器５０に対してずれにくくなる。
【００２０】
また、緩衝突片７がフランジ５４の上面に沿って折れ曲がり、外側へ突出するので、容器１０を外箱に収納したとき、フランジ５３，５４の角部と外箱との衝突が防止され、フランジ５３，５４の角部や内容物の損傷が防止される。
【００２１】
なお、上記実施形態では、容器５０として方形のものを示したが、同様の構成の蓋固定部材は、六角形や八角形の容器に使用することもできる。また、容器本体と蓋とがヒンジを介して開閉自在に繋がった容器に使用することもできる。また、パルプモールド製のものだけでなく、一般的なプラスチック製の容器に使用することもできる。
【図面の簡単な説明】
【００２２】
【図１】この発明の実施形態に係る蓋固定部材と容器とを示す分解斜視図
【図２】同上の蓋固定部材のブランクを示す図
【図３】同上の蓋固定部材の使用状態を示す斜視図
【図４】同上のフランジ角部の固定状態を示す一部切欠拡大正面図
【符号の説明】
【００２３】
１  蓋固定部材
２  罫線
３  開口部
４  係止片
５  係止穴
６  係合突起
７  緩衝突片
５０  容器
５１  容器本体
５２  蓋
５３，５４  フランジ
【図１】
2006069610.tif 000003
【図２】
2006069610.tif 000004
【図３】
2006069610.tif 000005
【図４】
2006069610.tif 000006